(57)【要約】【課題】本発明は、マスキング材の熱可塑性樹脂材料を節減し、マスキング材の廃棄物の処理量を削減して、マスキング材を焼却処理した場合の大気汚染や地球温暖化を緩和することを課題とする。【解決手段】熱可塑性樹脂発泡体からなり、保護対象の孔部もしくは凹部２に対する挿入部３を有し、更に外周から所定厚みＴを介して空孔部６が形成されていることを特徴とするマスキング材１を提供する。【選択図】    図１
2004202457.tif 000002
【特許請求の範囲】
【請求項１】
熱可塑性樹脂発泡体からなり、保護対象の孔部もしくは凹部に対する挿入部を有し、更に外周から所定厚みを介して空孔部が形成されていることを特徴とするマスキング材。
【請求項２】
該熱可塑性樹脂発泡体の発泡倍率は１０〜８０倍であり、外周から空孔部周壁までの厚みは５〜３０mmである請求項１に記載のマスキング材。
【請求項３】
該挿入部の外周には複数条のリブが設けられている請求項１または請求項２に記載のマスキング材。
【請求項４】
該熱可塑性樹脂発泡体はポリスチレン発泡体である請求項１〜請求項３に記載のマスキング材。
【発明の詳細な説明】
【０００１】
【発明の属する技術分野】
本発明は熱可塑性樹脂発泡体からなるマスキング材に関する。
【０００２】
【従来の技術】
従来、図７および図８に示すように、ポリスチレン等の熱可塑性樹脂の発泡体からなるマスキング材(1P)として、保護対象の孔部もしくは凹部(2P)に対する挿入部(3P)と、該挿入部(3P)の根端に設けられた頭部(4P)とからなる中実のマスキング材(1P)が一般に提供されている（特許文献１参照）。
【０００３】
【特許文献１】
実開昭６２−１９９１７３号公報（第４−７頁、第１図）
【０００４】
【発明が解決しようとする課題】
しかしながら上記従来のマスキング材(1P)では、マスキング材(1P)の材料である熱可塑性樹脂の発泡体の耐熱性が低く、マスキング材(1P)の使用時の加熱によってマスキング材(1P)が大きく変形・収縮してしまうので、マスキング材(1P)を再使用することが困難であった。そのため、一度使用されたマスキング材(1P)は、再使用されることなく廃棄処分される場合が少なくなかった。そして、マスキング材(1P)が廃棄処分される場合には、その殆どが焼却処分されることとされていたため、焼却処分の際に排出されるガスが大気汚染や地球温暖化の原因の一つとなることがあるという問題があった。
【０００５】
【課題を解決するための手段】
本発明は上記従来の課題を解決するための手段として、熱可塑性樹脂発泡体からなり、保護対象の孔部もしくは凹部(2,12)に対する挿入部(3,13)を有し、更に外周から所定厚みＴを介して空孔部(6,16)が形成されていることを特徴とするマスキング材(1,11)を提供するものである。
該熱可塑性樹脂発泡体の発泡倍率は１０〜８０倍であり、外周から空孔部(6,16)周壁までの厚みＴは５〜３０mmであることが望ましい。
また、該挿入部(3,13)の外周には複数条のリブ(5,15)が設けられていることが望ましい。
【０００６】
【作用】
本発明のマスキング材(1) では、マスキング材(1) に空孔部(6) を設けることにより、熱可塑性樹脂材料の節減を図ることが出来る。すなわち、該空孔部(6) を設けた分だけ、熱可塑性樹脂が削減されるため、マスキング材(1) の廃棄物の処理量が削減される。
【０００７】
【発明の実施の形態】
〔実施例１〕
本発明を図１および図２に示す一実施例によって説明する。
熱可塑性樹脂の発泡体からなるマスキング材(1) は、保護対象の孔部もしくは凹部(2) に対する挿入部(3) と、該挿入部(3) の根端に設けられる頭部(4) とからなり、該挿入部(3) の外周には角柱状のリブ(5) が複数条凸設されており、更に、該頭部(4) の上面からは外周から所定の厚みＴを介して空孔部(6) が形成されている（図１参照）。
【０００８】
マスキング材(1) の挿入部(3) は円孔状の凹部(2) に対応させたテーパー形状とされており、挿入部(3) 先端部の径Ｄ1 は凹部(2) の径ｄより若干小さく設定され、挿入部(3) 根端部の径Ｄ2 は凹部(2) の径ｄより大きく設定されている（Ｄ1 ＜ｄ＜Ｄ2 ）。マスキング材(1) の挿入部(3) をこのようなテーパー形状とすることにより、マスキング材(1) を凹部(2) に挿着した場合に、凹部(2) からマスキング材(1) が外れないように、弾性反発力によって確実に固定することができる。
【０００９】
更に、マスキング材(1) の頭部(4) は挿入部(3) よりも若干大径の円柱状とされており、該頭部(4) の上面からは円孔状の空孔部(6) が形成されている。更に、該頭部(4) の外周から空孔部(6) 周壁までの厚みＴは５〜３０mmであり、望ましくは１０〜２０mmである（図２参照）。
【００１０】
該マスキング材(1) の材料としては、ポリプロピレン、ポリエチレン，ポリスチレン、ポリ塩化ビニル、アクリロニトリル−ブタジエン−スチレン樹脂（ＡＢＳ樹脂）等の熱可塑性樹脂の発泡体が使用されているが、安価な点でポリスチレン発泡体が望ましい材料である。
また、該熱可塑性樹脂の発泡体の発泡倍率は１０〜８０倍であり、望ましくは２０〜７０倍であり、更に望ましくは３０〜６５倍である。
【００１１】
該マスキング材(1) を使用して塗装等の表面処理を行なう場合には、保護対象の孔部または凹部(2) にマスキング材(1) の挿入部(3) を挿入して、保護対象にマスキング材(1) を取付けた後、塗装等の表面処理を行なう。そして、塗装等の表面処理が完了した後、該マスキング材(1) を保護対象の孔部または凹部(2) から取外す。
このようにしてマスキング材(1) を使用して塗装等の表面処理を行なうことにより、保護対象の孔部または凹部(2) およびその周縁部分に表面処理が施されるのを防止することが出来る。
【００１２】
上記のように、マスキング材(1) に空孔部(6) を設けることにより、熱可塑性樹脂材料の節減を図ることができる。すなわち、該空孔部(6) を設けた分だけ、熱可塑性樹脂が削減されるため、マスキング材(1) の廃棄物の処理量が削減される。
【００１３】
また、熱可塑性樹脂の発泡体の発泡倍率が１０〜８０倍であると、適度な弾性を得ることができるため、マスキング材(1) の着脱が容易となる。
熱可塑性樹脂の発泡体の発泡倍率が１０倍未満である場合には、弾性が不足するため、マスキング材(1) を保護対象の凹部(2) に挿着しにくくなり、一方、熱可塑性樹脂の発泡体の発泡倍率が８０倍を越えると、過度の弾性が得られるため、マスキング材(1) が保護対象の凹部(2) から外れやすくなる。
【００１４】
更に、該頭部(4) の外周から空孔部(6) 周壁までの厚みＴは５〜３０mmであると、マスキング材(1) の十分な機械的強度を確保することが出来るとともに、大きな材料削減効果を得ることが出来る。
マスキング材(1) の頭部(4) の外周から空孔部(6) 周壁までの厚みＴが５mm未満である場合には、マスキング材(1) の機械的強度が不足して、マスキング材(1) が損傷しやすくなり、一方、マスキング材(1) の頭部(4) の外周から空孔部(6) 周壁までの厚みＴが３０mmを越えた場合には、材料節減効果が小さくなる。
【００１５】
また更に、マスキング材(1) の挿入部(3) の外周にリブ(5) が設けられていると、該リブ(5) は弾性変形しやすいため、該リブ(5) が保護対象の孔部または凹部(2) の内周壁に密着し、保護対象の孔部または凹部(2) に対するマスキング材(1) の固定力を強めることが出来る。
【００１６】
〔実施例２〕
図３〜図５には他の実施例が示される。
図１および図２に示した実施例１に対して、本実施例では、熱可塑性樹脂の発泡体からなるマスキング材(11)は、保護対象の孔部もしくは凹部(12)に対する挿入部(13)と、該挿入部(13)の根端に設けられる頭部(14)とからなり、該挿入部(13)の外周には角柱状のリブ(15)が複数条凸設されており、更に、該頭部(14)の外側面には外周から所定の厚みＴを介して空孔部(16)が形成されている（図３参照）。
【００１７】
マスキング材(11)の挿入部(13)は台形角孔状の凹部(12)に対応させた略台形角柱状とされており、該挿入部(13)の大きさは該凹部(12)の大きさと略同じか、または若干小さく設定されており、更に、リブ(15)とリブ(15)との幅Ｗは凹部(12)の幅ｗより大きく設定されている。このように、挿入部(13)の大きさを凹部(12)の大きさと略同じか、または若干小さく設定し、かつ、リブ(15)とリブ(15)との幅Ｗを凹部(12)の幅ｗより大きく設定することにより、マスキング材(11)を凹部(12)に挿着した場合に、凹部(12)に干渉することなく容易に挿入部(13)を挿着できるとともに、リブ(15)が弾性変形してマスキング材(11)を確実に固定することができる。この場合、保護対象の凹部(12)の周縁はマスキング材(11)の頭部(14)で覆われているため、マスキング材(11)の挿入部(13)の大きさが保護対象の凹部(12)より小さくても、マスキング材(11)を凹部(12)に取付けた後に塗装等の表面処理を施した際に保護対象の凹部(12)内に塗料等が付着することがない。
【００１８】
また、マスキング材(11)の頭部(14)は挿入部(13)よりも若干大きい角柱状とされており、該頭部(14)の外側面からは角孔状の空孔部(16)が形成されている。更に、該頭部(14)の外周から空孔部(16)周壁までの厚みＴは５〜３０mmであり、望ましくは１０〜２０mmである（図４および図５参照）。
【００１９】
該マスキング材(11)の材料には、実施例１と同様の熱可塑性樹脂の発泡体が使用されており、該熱可塑性樹脂の発泡体の発泡倍率も、実施例１と同様の発泡倍率とされている。
【００２０】
本実施例のマスキング材(11)を使用した場合であっても、実施例１と同様の作用効果を得ることが出来る。
すなわち、該マスキング材(11)に空孔部(16)を設けた分だけ、熱可塑性樹脂を削減することが出来、マスキング材(11)の廃棄物の処理量を削減することが可能となる。
また、熱可塑性樹脂の発泡体の発泡倍率が１０〜８０倍であるため、適度な弾性を得ることができ、マスキング材(11)の着脱が容易となる。
更に、該頭部(14)の外周から空孔部(16)周壁までの厚みＴは５〜３０mmであるため、マスキング材(11)の十分な機械的強度を確保することが出来るとともに、大きな材料削減効果を得ることが出来る。
また更に、マスキング材(11)の挿入部(13)の外周にリブ(15)が設けられているため、該リブ(15)が弾性変形して保護対象の孔部または凹部(12)の内周壁に密着し、保護対象の孔部または凹部(12)に対するマスキング材(11)の固定力を強めることが出来る。
【００２１】
以上、本発明の実施の形態を実施例により説明したが、本発明の範囲はこれらに限定されるものではなく、請求項に記載された範囲内において目的に応じて変更・変形することが可能である。
例えば、本実施例以外、図６に示すように、マスキング材(1) の空孔部(6) は、頭部(4) の上面から挿入部(3) の深さ位置まで設けられており、かつ、マスキング材(1) の外周から空孔部(6) 周壁までの厚みＴが５〜３０mmに設定されていてもよい。
また、マスキング材(1) の空孔部(6) は、頭部(4) の上面から挿入部(3) の下面まで貫通して設けられており、かつ、マスキング材(1) の外周から空孔部(6) 周壁までの厚みＴが５〜３０mmに設定されていてもよい。
【００２２】
【発明の効果】
本発明では、マスキング材の頭部に空孔部を設けた分だけ熱可塑性樹脂材料が節減されるため、マスキング材の廃棄物の処理量が削減され、焼却処理した場合の大気汚染や地球温暖化が緩和される。
【図面の簡単な説明】
図１および図２は本発明の一実施例を示すものである。
【図１】マスキング材の斜視図である。
【図２】マスキング材の説明側断面図である。
【図３】他の実施例のマスキング材の斜視図である。
【図４】他の実施例のマスキング材の説明縦断面図である。
【図５】他の実施例のマスキング材の説明側断面図である。
【図６】更に他の実施例のマスキング材の説明側断面図である。
【図７】従来例のマスキング材の斜視図である。
【図８】従来例のマスキング材の説明側断面図である。
【符号の説明】
1,11          マスキング材
2,12          凹部（または孔部）
3,13          挿入部
4,14          頭部
5,15          リブ
6,16          空孔部
Ｔ            厚み
【図１】
2004202457.tif 000003
【図２】
2004202457.tif 000004
【図３】
2004202457.tif 000005
【図４】
2004202457.tif 000006
【図５】
2004202457.tif 000007
【図６】
2004202457.tif 000008
【図７】
2004202457.tif 000009
【図８】
2004202457.tif 000010